(57)【要約】【課題】ＨＳＤＰＡ機能を備えたＵＭＴＳモバイル通信システムのＲＮＣ  Ｒと基地局ＢＳの間のデータフローをＬＵＢインターフェースＩ２を介して制御するための方法を提供すること。【解決手段】この方法では、ＨＳ−ＤＳＣＨフレームプロトコルメカニズムがＬＵＢインターフェースＩ２に実装されてＲＮＣと基地局の間のＨＳＤＰＡユーザデータの通信のために制御とデータサービスを提供し、キャパシティ過負荷制御エンティティＣＯＣＵがＬＵＢインターフェースの実際のデータ伝送フローＩＤＦに関する情報を監視して、定められたＬＵＢインターフェースＩ２伝送キャパシティ値に達すると、ＬＵＢインターフェースＩ２のデータ伝送フローが削減される。【選択図】      図４
2006054869.tif 000002
【特許請求の範囲】
【請求項１】
ＬＵＢインターフェース（Ｉ２）を介してＨＳＤＰＡ機能を備えたＵＭＴＳモバイル通信システムのＲＮＣ（Ｒ）と基地局（ＢＳ）の間のデータフローを制御する方法であって、このＬＵＢインターフェース（Ｉ２）にはＨＳ−ＤＳＣＨフレームプロトコルメカニズムが実装されてＲＮＣと基地局の間のＨＳＤＰＡユーザデータの通信のための制御とデータサービスを提供し、この方法は、
データ伝送キャパシティをリクエストするためにＲＮＣで待機中の合計ユーザデータ量を示すＨＳ−ＤＳＣＨキャパシティリクエスト制御メッセージ（ＨＣＲ）をＲＮＣから基地局に向けて送信するステップと、
期間内にＲＮＣが送信することが許可されるデータ量を認可するＨＳ−ＤＳＣＨキャパシティ割り当て制御メッセージ（ＨＣＡ）を基地局からＲＮＣに向けて送信するステップと、
認可されたユーザデータ量の情報をＨＳ−ＤＳＣＨデータフレームメッセージ（ＨＤＴ）を使ってＲＮＣが基地局に送信するステップとを含む方法であり、
キャパシティ過負荷制御エンティティ（ＣＯＣＵ）はＬＵＢインターフェースの実際の合計データ伝送フロー（ＩＤＦ）に関する情報を監視して、定められたＬＵＢインターフェース（Ｉ２）伝送キャパシティ値に達すると、ＬＵＢインターフェース（Ｉ２）のデータ伝送フローが削減されることを特徴とする方法。
【請求項２】
定められたＬＵＢインターフェース（Ｉ２）伝送キャパシティ値に達するとキャパシティ過負荷制御エンティティ（ＣＯＣＵ）がキャパシティしきい値インジケーション（ＣＩ）を生成してこれをＲＮＣに送信し、
ＲＮＣ（Ｒ）は前記キャパシティしきい値インジケーション（ＣＩ）をＨＳ−ＤＳＣＨフレームプロトコルメッセージで基地局に送信し、
基地局（ＢＳ）は期間内にＲＮＣが送信することを許可されるデータ量を減らすＨＳ−ＤＳＣＨキャパシティ割り当て制御メッセージ（ＨＣＡ）をＲＮＣに向けて送信することで前記メッセージに反応することを特徴とする請求項１に記載の方法。
【請求項３】
定められたＬＵＢインターフェース（Ｉ２）伝送キャパシティ値に達するとキャパシティ過負荷制御エンティティ（ＣＯＣＵ）がキャパシティしきい値インジケーション（ＣＩ）を生成してこれをＲＮＣに送信し、
ＲＮＣ（Ｒ）は基地局によって認可されたあらかじめ割り当てられたデータ量より少ないユーザデータ量をその基地局（ＢＳ）に伝送し、
基地局は期間内にＲＮＣが送信することを許可されるデータ量を減らすＨＳ−ＤＳＣＨキャパシティ割り当て制御メッセージ（ＨＣＡ）をＲＮＣに向けて送信することで前記ＲＮＣ動作に反応することを特徴とする請求項１に記載の方法。
【請求項４】
キャパシティ過負荷制御エンティティ（ＣＯＣＵ）によって監視されるＬＵＢインターフェースの実際のデータ伝送フロー（ＩＤＦ）についての情報は、専用チャネルトラフィック、ＨＳＤＰＡトラフィック、制御トラフィック、および基地局（ＢＳ）へのデータ伝送に使用可能な合計ＬＵＢインターフェース（Ｉ２）キャパシティであることを特徴とする請求項１に記載の方法。
【請求項５】
キャパシティしきい値インジケーション（ＣＩ）は、ＬＵＢインターフェース（Ｉ２）の最大伝送キャパシティ未満の特定パーセンテージ値に達したことを知らせる重大な負荷状況のインジケーションであるか、またはＬＵＢインターフェース（Ｉ２）の最大伝送キャパシティ値に達したことを知らせる過負荷状況インジケーションであることを特徴とする請求項２または３に記載の方法。
【請求項６】
運営会社と顧客のサービス基準に応じて、定められた個々のユーザのデータ伝送フローを削減することでＬＵＢインターフェース（Ｉ２）でデータ伝送フローが削減されることを特徴とする請求項１に記載の方法。
【請求項７】
ＬＵＢインターフェースの実際のデータ伝送フロー（ＩＤＦ）についての情報を検出および／または計算および／または受信する手段、前記情報を分析してそれが特定しきい値に達したかどうかを判断する手段、ラジオネットワークコントローラ（Ｒ）と通信する手段、ならびにＬＵＢインターフェースの実際のデータ伝送フロー（ＩＤＦ）についての情報またはＬＵＢインターフェースの実際の合計データ伝送フローが特定のＬＵＢインターフェース伝送キャパシティ値に達したというインジケーションをラジオネットワークコントローラ（Ｒ）に送信する手段を含むことを特徴とするＨＳＤＰＡ機能を備えたＵＭＴＳモバイル通信システムのキャパシティ過負荷制御エンティティ（ＣＯＣＵ）。
【請求項８】
ＨＳ−ＤＳＣＨフレームプロトコルメカニズムを使いＬＵＢインターフェース（Ｉ２）を介して基地局と通信する手段を含むＨＳＤＰＡ機能を備えたＵＭＴＳモバイル通信システムのラジオネットワークコントローラ（Ｒ）であって、ＬＵＢインターフェースの実際のデータ伝送フロー（ＩＤＦ）についての情報を検出および／または計算および／または受信および／または送信する手段、前記情報を分析して特定のＬＵＢインターフェース伝送キャパシティ値に達したかどうかを判断する、またはＬＵＢインターフェースの実際の合計データ伝送フローが特定のＬＵＢインターフェース伝送キャパシティ値に達したというインジケーションを受信する手段、キャパシティしきい値インジケーション（ＣＩ）をＨＳ−ＤＳＣＨフレームプロトコルメッセージで基地局に送信する手段、あるいは基地局によって認可されたあらかじめ割り当てられたデータ量より少ない量のユーザデータをその基地局に伝送する手段をさらに含むことを特徴とするラジオネットワークコントローラ（Ｒ）。
【請求項９】
ＨＳ−ＤＳＣＨフレームプロトコルメカニズムを使いＬＵＢインターフェース（Ｉ２）を介してＲＮＣと通信するための手段を含むＨＳＤＰＡ機能を備えたＵＭＴＳモバイル通信システムの基地局（ＢＳ）であって、キャパシティしきい値インジケーション（ＣＩ）を受信する手段と、前記キャパシティしきい値インジケーション（ＣＩ）を分析して期間内にＲＮＣが送信することが許可されるデータ量を削減するＨＳ−ＤＳＣＨキャパシティ割り当て制御メッセージ（ＨＣＡ）をＲＮＣに向けて送信することでキャパシティしきい値インジケーション（ＣＩ）に反応する手段とをさらに含むことを特徴とする基地局（ＢＳ）。
【請求項１０】
ＨＳ−ＤＳＣＨフレームプロトコルメカニズムを使いＬＵＢインターフェース（Ｉ２）を介してＲＮＣと通信する手段を含むＨＳＤＰＡ機能を備えたＵＭＴＳモバイル通信システムの基地局（ＢＳ）であって、基地局によって認可されてあらかじめ割り当てられたデータ量より少ない量のユーザデータをＲＮＣがその基地局に伝送しているかどうかを検出する手段と、期間内にＲＮＣが送信することを許可されたデータ量を削減するＨＳ−ＤＳＣＨキャパシティ割り当て制御メッセージ（ＨＣＡ）をＲＮＣに向けて送信することでこの動作に反応する手段とをさらに含むことを特徴とする基地局（ＢＳ）。
【発明の詳細な説明】
【技術分野】
【０００１】
本発明は、無線通信システムに関する。より具体的には、モバイル通信システムにおけるデータフロー制御に関する。
【背景技術】
【０００２】
一般にＵｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）として知られている第３世代（３Ｇ）のＧｌｏｂａｌ  Ｓｙｓｔｅｍｓ  ｆｏｒ  Ｍｏｂｉｌｅ  ｃｏｍｍｕｎｉｃａｔｉｏｎｓ（ＧＳＭ）ネットワークの発展により、最高約１０Ｍｂｐｓのデータレートを提供してパケットベースのマルチメディアサービスをサポートする高速ダウンリンクパケットアクセス（ＨＳＤＰＡ）が利用可能となっている。
【０００３】
ＵＭＴＳ  ＨＳＤＰＡ対応システムは、ダウンリンク方向に高速ダウンリンク共有チャネル（ＨＳ−ＤＳＣＨ）という追加の伝送チャネルタイプをサポートする。この論理チャネルは、データ転送のための論理伝送メカニズムを提供する。
【０００４】
現在、第３世代パートナーシッププロジェクト（３ＧＰＰ）が、ＨＳＤＰＡの技術仕様に取り組んでいる。３ＧＰＰ仕様ＴＳ  ２５．４３５  ｖ５．６．０、２００３−１２には、ラジオネットワークコントローラ（ＲＮＣ）と基地局の間のインターフェース（ＬＵＢインターフェース）についての説明が提供されている。この文献、より具体的には、第５．１．６章では、ＲＮＣから基地局へのＨＳ−ＤＳＣＨデータフレームの伝送のためのデータ転送手順が定義されている。この手順では、ＲＮＣと基地局の間のユーザデータフローを制御するためのメカニズムも黙示されている。
【０００５】
ＬＵＢインターフェースの実際の伝送キャパシティには限界があるため、基地局は２．０４８Ｍｂｐｓ（Ｅ１）リンクや１５５Ｍｂｐｓ（ＳＴＭ−１）リンクといった１つまたは複数の物理通信リンクを介してＲＮＣに接続されるということから、仕様が定められている現況技術のＲＮＣと基地局間のユーザデータフロー制御アプローチの不利な点は、これは個々のユーザデータフローのみを制御する、つまり、個々のユーザがＲＮＣからどれだけのＨＳＤＰＡトラフィックを受信できるかということのみを制御する、ということである。ユーザ端末の分散と、ＨＳＤＰＡトラフィックを持つラジオセルのエアインターフェースの品質に基づいて、例えば、基地局がこのようなセルのいくつかにサービスを提供する必要がある場合は、ＬＵＢインターフェースの合計データ伝送フロー、つまり、すべての個々のユーザデータフローインスタンスの合計が、ＬＵＢインターフェースで可能な最大伝送キャパシティを超える、つまりＬＵＢインターフェースでキャパシティ過負荷の状況が発生する可能性がある。
【非特許文献１】３ＧＰＰ仕様ＴＳ  ２５．４３５  ｖ５．６．０、２００３−１２
【発明の開示】
【発明が解決しようとする課題】
【０００６】
本発明の目的は、前記の技術的な問題を解決して、ＲＮＣと基地局の間のＬＵＢインターフェースに改善されたデータフロー制御方法を提供することである。
【０００７】
この目的は、請求項１に記載のＨＳＤＰＡ機能を備えたＵＭＴＳモバイル通信システムのＲＮＣと基地局の間のデータフローを制御するための方法、請求項７に記載のキャパシティ過負荷制御エンティティ、請求項８に記載のラジオネットワークコントローラ、および請求項９または１０に記載の基地局によって達成される。
【課題を解決するための手段】
【０００８】
本発明の有利な構成は、従属請求項、以下の説明、および図面から明らかになる。例えば、提案されている発明を使用することで、ＨＳＤＰＡトラフィックのためのＬＵＢインターフェースの伝送キャパシティの効率的な使用が達成される、という点が利点であると分かる。また、以下に説明されているＬＵＢインターフェースのデータフロー制御方法は、選択されたユーザグループに使用されているため、モバイルネットワークの運営会社にはユーザのサービス品質を差別化してそれに従ってそのようなサービスに料金を請求する方法が提供される、という点が利点であることも分かる。
【０００９】
さらに、本発明は、ＬＵＢインターフェース上のＨＳＤＰＡトラフィックのために総合的なデータフロー制御を提供する。
【発明を実施するための最良の形態】
【００１０】
以下に、本発明の一実施形態について、図１〜図４を使って説明していく。
【００１１】
図１は、従来のモバイル通信システムの基本的なネットワーク要素アーキテクチャの例を示している。このモバイル通信システムには、エアインターフェースＩ１を介して８台のユーザ端末Ｔ１〜Ｔ８と通信するラジオアクセスネットワークＲＡＮにインターフェースＩ３を介して接続されるコアネットワークＣＮが含まれている。ラジオアクセスネットワークＲＡＮには、４つの基地局ＢＳ１〜ＢＳ４が含まれ、これらは２つのラジオネットワークコントローラＲ１とＲ２によって制御される。ＲＮＣ  Ｒ１とＲ２はインターフェースＩ４を介して相互に接続し、ＬＵＢインターフェースＩ２を介して基地局に接続される。ＬＵＢインターフェースＩ２と他のネットワーク要素インターフェースＩ１、Ｉ３、Ｉ４も、３ＧＰＰによって仕様が定義されている。また、この仕様では一般的に、端末はユーザ機器（ＵＥ）と呼ばれ、基地局はノードＢと呼ばれる。
【００１２】
図２は、ＲＮＣ  ＲがＨＳ−ＤＳＣＨデータフレームＨＤＴを使いＬＵＢインターフェースＩ２を介してユーザデータＵＤを基地局ＢＳに転送し、基地局がこのユーザデータをユーザ端末Ｔに伝送する一実施形態を示している。
【００１３】
オペレーションでは、ＲＮＣがユーザデータＵＤ、例えば、ビデオシーケンスのようなマルチメディアデータをコアネットワークから受信する。ユーザデータＵＤは、メディアアクセス制御（ＭＡＣ）プロトコルエンティティＭＵ１にＲＮＣ  Ｒでセグメント化されて、ＭＡＣ−ｄプロトコルデータユニット（ＰＤＵ）とも呼ばれるＭＡＣデータパケットを提供する。ＲＮＣの前記ＭＡＣ−ｄ  ＰＤＵは、ＲＮＣ  Ｒと基地局ＢＳの間のＨＳＤＰＡ  ＬＵＢインターフェース通信を担当するＨＳ−ＤＳＣＨフレームプロトコルエンティティＨＦＰＵ１に渡される。その後、ＭＡＣ−ｄ  ＰＤＵの形のユーザデータは、ＨＳ−ＤＳＣＨフレームプロトコルエンティティＨＦＰＵ１とＨＦＰＵ２の制御とデータサービスを使用して、ＨＳ−ＤＳＣＨデータフレームＨＤＴで基地局ＢＳに転送される。
【００１４】
基地局ＢＳで受信されたＨＳ−ＤＳＣＨフレームプロトコルエンティティＨＦＰＵ２は、ユーザデータＭＡＣ−ｄ  ＰＤＵをＭＡＣプロトコルエンティティＭＵ２に渡し、ＭＡＣプロトコルエンティティＭＵ２はこのようなＭＡＣ−ｄ  ＰＤＵをいくつか連結して、ＨＳＤＰＡ対応ユーザ端末Ｔに伝送されるＭＡＣ−ｈｓ  ＰＤＵを形成する。
【００１５】
図３には、ＨＳ−ＤＳＣＨデータフレームＨＤＴをＲＮＣ  Ｒから基地局ＢＳに伝送するためのＨＳＤＰＡ  ＬＵＢインターフェースＩ２  ＨＳ−ＤＳＣＨフレームプロトコルサービスについてより詳細に示されている。
【００１６】
ＨＳ−ＤＳＣＨキャパシティリクエスト手順は、ＲＮＣ  ＲがＨＳ−ＤＳＣＨキャパシティをリクエストするための手段を提供する。つまり、ＲＮＣでデータパケットが受信されると、ＨＳ−ＤＳＣＨキャパシティリクエスト制御メッセージＨＣＲを使って基地局ＢＳに向けて信号が送られる。このメッセージには、待機中データの合計量、つまりＲＮＣのユーザバッファサイズが含まれる。
【００１７】
基地局ＢＳは、ＨＳ−ＤＳＣＨキャパシティ割り当て制御メッセージＨＣＡを使って、ＲＮＣに対して伝送リソースを認可する。このメッセージは、データの量、つまりＭＡＣ−ｄ  ＰＤＵのサイズと数を定義する。ＲＮＣは、定義された期間内に送信することが許可される。基地局ＢＳは、ＨＳ−ＤＳＣＨキャパシティリクエストに応じて、または他の任意のタイミングで、ＨＳ−ＤＳＣＨキャパシティ割り当て制御メッセージＨＣＡを生成することができ、基地局ＢＳはこのメッセージを使って個々のユーザデータフローを制御し、報告されたユーザバッファステータスに関係なく、いつでもキャパシティを変更することができる。
【００１８】
基地局によって認可された転送キャパシティに基づいて、ＲＮＣはＨＳ−ＤＳＣＨデータフレームＨＤＴでユーザデータを基地局に送信することで続行する。それぞれのＨＳ−ＤＳＣＨデータフレームには、ＭＡＣ−ｄ  ＰＤＵ以外に、残りのユーザデータ、つまりＲＮＣのバッファサイズについてのインジケーションも含まれ、これは新しいＨＳ−ＤＳＣＨキャパシティ割り当て制御メッセージＨＣＡを発行するために基地局によって使用される場合もある。
【００１９】
図４は、本発明によるＲＮＣ  Ｒと基地局ＢＳの間のデータフロー制御方法を示す一実施形態を示している。図４の実施形態は、本発明によるネットワーク要素ＲＮＣ、基地局、およびキャパシティ過負荷制御エンティティＣＯＣＵを含むＨＳＤＰＡ機能を備えたＵＭＴＳモバイル通信システムを示している。キャパシティ過負荷制御エンティティＣＯＣＵはＲＮＣ  Ｒに接続され、ＲＮＣはＬＵＢインターフェースＩ２を介して基地局ＢＳに接続されている。
【００２０】
本発明によるキャパシティ過負荷制御エンティティＣＯＣＵは、ＬＵＢインターフェースの実際のデータ伝送フローＩＤＦについての情報を監視するように設計されている。つまり、例えば、これは、専用チャネル（ＤＣＨ）トラフィック、ＨＳＤＰＡトラフィック、制御トラフィック、および基地局ＢＳへのデータ伝送に使用することが可能な合計ＬＵＢインターフェースキャパシティについての情報を検出および／または計算および／または受信するための手段を備えている。さらに、キャパシティ過負荷制御エンティティＣＯＣＵは、定められたＬＵＢインターフェース伝送キャパシティ値に達した場合は、キャパシティしきい値インジケーションＣＩを生成して、これをＲＮＣに送信するように設計されている。
【００２１】
本発明によれば、ＲＮＣはキャパシティ過負荷制御エンティティＣＯＣＵからキャパシティしきい値インジケーションＣＩを受信すると、このキャパシティしきい値インジケーションＣＩをＨＳ−ＤＳＣＨフレームプロトコルメッセージで基地局に送信し、基地局はＲＮＣが期間内に送信することを許可されるデータの量を減らすＨＳ−ＤＳＣＨキャパシティ割り当て制御メッセージをＲＮＣに向けて送信することで、このメッセージに反応する。
【００２２】
ＬＵＢインターフェースＩ２の伝送キャパシティ値は、例えば、ＬＵＢインターフェースＩ２の最大伝送キャパシティ未満の特定パーセンテージ値に定めることも、またはそのＬＵＢインターフェースの最大伝送キャパシティに設定することもできる。最大伝送キャパシティ未満の特定パーセンテージ値に設定した場合は、その値に達すると、重大な負荷状況が発生したというキャパシティしきい値インジケーションＣＩをキャパシティ過負荷制御エンティティＣＯＣＵがＲＮＣに送信する。ＬＵＢインターフェースの最大伝送キャパシティに設定した場合は、過負荷状況が発生したというキャパシティしきい値インジケーションＣＩをキャパシティ過負荷制御エンティティＣＯＣＵがＲＮＣに送信する。
【００２３】
例えば、キャパシティ過負荷制御エンティティＣＯＣＵがＲＮＣに過負荷状況を知らせ、このインジケーションが基地局に転送されると、基地局はＲＮＣが送信することを許可されるデータ量を値ゼロに減らすことができる。
【００２４】
ＲＮＣは、キャパシティしきい値インジケーションＣＩを基地局に送信するために、例えば、ＨＳ−ＤＳＣＨデータフレームメッセージを使い、このメッセージの定められたビットフィールドに特定のキャパシティしきい値インジケーションＣＩをコード化することができる。ただし、ＲＮＣは、他のＨＳ−ＤＳＣＨフレームプロトコルメッセージを使用することも可能である。
【００２５】
また、キャパシティ過負荷制御エンティティＣＯＣＵが現在のＬＵＢインターフェースのＩ２伝送キャパシティまたはデータ伝送フロー情報を一定間隔でＲＮＣに送信して、ＲＮＣがこの情報に反応し、それに基づいて決定を行うことができるようにすることも可能である。
【００２６】
本発明によれば、特定ＬＵＢインターフェースＩ２の伝送キャパシティ値に達したことを基地局に知らせるための代替方法を以下のようにして行うことができる。ＲＮＣは、キャパシティ過負荷制御エンティティＣＯＣＵからキャパシティしきい値インジケーションＣＩを受信したら、基地局によって認可されたあらかじめ割り当てられたデータ量より少ないユーザデータ量をその基地局に伝送する。基地局は、期間内にＲＮＣが送信することを許可されるデータ量を減らすＨＳ−ＤＳＣＨキャパシティ割り当て制御メッセージをＲＮＣに向けて送信することで、ＲＮＣのこの動作に反応する。例えば、キャパシティ過負荷制御エンティティＣＯＣＵが、ＬＵＢインターフェースの過負荷状況を示すキャパシティしきい値インジケーションＣＩを生成した場合は、ＲＮＣは中にユーザデータを含まないＨＳ−ＤＳＣＨデータフレームメッセージを基地局に送信することで反応し、これによって基地局はこのＲＮＣの動作の意味を認識してこれを過負荷状況と解釈する。この場合、基地局は、期間内にＲＮＣが送信することを許可されるデータの量をゼロに減らすＨＳ−ＤＳＣＨキャパシティ割り当て制御メッセージをＲＮＣに向けて生成することで反応することができる。
【００２７】
すでに前述されているように、本発明によるデータフロー制御方法を使用することで、モバイル通信ネットワークの運営会社はＬＵＢインターフェースの過負荷状況を回避して、ラジオネットワークコントローラと基地局の間により信頼性が高く効率的なデータユーザ伝送サービスを提供することができる、という点が利点であることが分かる。さらに、ＬＵＢインターフェースで定められた負荷状況に達すると、運営会社は該当するユーザに提供されているデータ優先度の低さや品質サービスの低さに基づいて、定められた数のユーザに対するデータ伝送フローを削減して、他の高品質サービスの顧客が過負荷状況に影響されないでデータを受信し続けることが可能になるようにすることができる。
【００２８】
本発明の好ましい一実施形態では、キャパシティ過負荷制御エンティティＣＯＣＵはＲＮＣ内に配置され、このキャパシティ過負荷制御エンティティはハードウェアおよび／またはソフトウェアの形で実装されているが、これはモバイル通信システムの他のネットワーク要素に配置することも、このようなネットワークシステムのスタンドアロンエンティティとして配置することもできる。
【００２９】
一般化するために、ここで説明されているＨＳＤＰＡ機能を備えたＵＭＴＳモバイル通信システムのＲＮＣと基地局の間のデータフローを制御するための方法や方法の特定のステップを実行するための手段は、モバイル通信システムの任意の場所、つまりモバイル通信システムの基地局や任意のリソースマネージャエンティティに配置することができることも理解される必要がある。前記の手段はハードウェアまたはソフトウェアの形で実装される。
【図面の簡単な説明】
【００３０】
【図１】従来のモバイル通信システムの簡素化された基本的ネットワーク要素アーキテクチャを示す図である。
【図２】従来のＵＭＴＳ  ＨＳＤＰＡモバイル通信システムにおけるＲＮＣ、基地局、およびユーザ端末の間の通信を示す簡素化された構成図である。
【図３】ＲＮＣから基地局へのＨＳ−ＤＳＣＨデータフレームの伝送のための従来のデータ転送手順を示す構成図である。
【図４】本発明によるＨＳＤＰＡ機能を備えたモバイル通信システムのＲＮＣと基地局の間のデータフローを制御するための方法を示す構成図である。
【符号の説明】
【００３１】
Ｔ、Ｔ１、Ｔ２、Ｔ３、Ｔ４、Ｔ５、Ｔ６、Ｔ７、Ｔ８  ユーザ端末
ＢＳ、ＢＳ１、ＢＳ２、ＢＳ３、ＢＳ４  基地局
Ｉ１  エアインターフェース
Ｉ２  ＬＵＢインターフェース
Ｉ３、Ｉ４  インターフェース
Ｒ、Ｒ１、Ｒ２  ラジオネットワークコントローラ（ＲＮＣ）
ＲＡＮ  ラジオアクセスネットワーク
ＣＮ  コアネットワーク
ＨＦＰＵ１、ＨＦＰＵ２  ＨＳ−ＤＳＣＨフレームプロトコルエンティティ
ＨＤＴ  ＨＳ−ＤＳＣＨデータフレーム
ＵＤ  ユーザデータ
ＭＵ１、ＭＵ２  メディアアクセス制御（ＭＡＣ）プロトコルエンティティ
ＭＡＣ−ｄ  ＰＤＵ  ＭＡＣ−ｄプロトコルデータユニット（ＰＤＵ）
ＭＡＣ−ｈｓ  ＰＤＵ  ＨＳＤＰＡ対応ユーザ端末Ｔに伝送される、ＭＡＣ−ｄ  ＰＤＵがいくつか連結されたもの
ＨＣＲ  ＨＳ−ＤＳＣＨキャパシティリクエスト制御メッセージ
ＨＣＡ  ＨＳ−ＤＳＣＨキャパシティ割り当て制御メッセージ
ＣＯＣＵ  キャパシティ過負荷制御エンティティ
ＩＤＦ  ＬＵＢインターフェースのデータ伝送フロー
ＣＩ  キャパシティしきい値インジケーション
【図１】
2006054869.tif 000003
【図２】
2006054869.tif 000004
【図３】
2006054869.tif 000005
【図４】
2006054869.tif 000006
【外国語明細書】
2006054869.tif 000007
2006054869.tif 000008
2006054869.tif 000009
2006054869.tif 000010
2006054869.tif 000011
2006054869.tif 000012
2006054869.tif 000013
2006054869.tif 000014
2006054869.tif 000015
2006054869.tif 000016
2006054869.tif 000017
2006054869.tif 000018
2006054869.tif 000019
2006054869.tif 000020
2006054869.tif 000021
2006054869.tif 000022
2006054869.tif 000023
2006054869.tif 000024